(57)【要約】  【課題】発振波長のばらつきが大きいレーザ光源を使用した場合であっても、光学レンズに関わらず、色収差を抑制することができ、そのためのコストを削減することができる画像記録装置を提供する。  【解決手段】本発明の画像記録装置において、露光制御回路は、レーザ光の発振波長の情報に基づいて、レーザ光源毎に異なる走査クロックを出力するクロック選択回路と、走査クロックに同期して動作し、レーザ光源毎に、画像データに応じた変調信号を出力するレーザ駆動回路とを備えている。クロック選択回路は、複数のレーザ光源の中の少なくとも１つのレーザ光源について、あらかじめ用意されている発振周波数の異なる複数の走査クロックの中から、レーザ光源から出力されるレーザ光の発振波長の情報に基づいて１つの走査クロックを選択的に出力する。【選択図】図３
2006030434.tif 000002
【特許請求の範囲】
【請求項１】
画像データに応じて露光を制御する露光制御回路と、前記露光制御回路から出力される変調信号により変調され、複数のレーザ光源から各々出力される発振波長の異なる複数のレーザ光を、光学レンズを通して記録媒体上に結像させ、当該記録媒体上に前記画像データに応じた画像を記録する露光ユニットとを備え、
前記露光制御回路は、前記レーザ光の発振波長の情報に基づいて、前記レーザ光源毎に異なる走査クロックを出力するクロック選択回路と、前記走査クロックに同期して動作し、前記レーザ光源毎に、前記画像データに応じた前記変調信号を出力するレーザ駆動回路とを備え、
前記クロック選択回路は、複数の前記レーザ光源の中の少なくとも１つのレーザ光源について、あらかじめ用意されている、発振周波数の異なる複数の走査クロックの中から、前記レーザ光の発振波長の情報に基づいて１つの走査クロックを選択的に出力することを特徴とする画像記録装置。
【請求項２】
前記露光ユニットは、前記レーザ光の発振波長の情報が記録された情報記録回路を備え、前記露光制御回路は、前記情報記録回路から供給されるレーザ光の発振波長の情報に基づいて前記１つの走査クロックを選択的に出力する請求項１に記載の画像記録装置。
【請求項３】
前記露光ユニットは、前記レーザ光の発振波長を検出する波長検出器を備え、前記露光制御回路は、前記波長検出器から供給されるレーザ光の発振波長の情報に基づいて前記１つの走査クロックを選択的に出力する請求項１に記載の画像記録装置。
【請求項４】
複数の前記レーザ光源の中の少なくとも１つのレーザ光源は、４８０ｎｍ以下の発振波長を持つ青色のレーザ光を出力する半導体レーザである請求項１〜３のいずれかに記載の画像記録装置。
【請求項５】
当該画像記録装置は、前記記録媒体である印画紙上に画像を記録するデジタル写真プリンタである請求項１〜４のいずれかに記載の画像記録装置。
【発明の詳細な説明】
【技術分野】
【０００１】
本発明は、露光光源として、レーザ光を射出する複数のレーザ光源を使用して、画像データに応じた画像を記録媒体上に記録するマルチビーム走査光学系を採用する画像記録装置に関するものである。
【背景技術】
【０００２】
複数のレーザ光源を用いて画像を記録するマルチビーム走査光学系を採用する画像記録装置においては、各々のレーザ光源から出力されるレーザ光（光ビーム）の発振波長の違いに起因して、倍率色収差などの色収差が生じる。
【０００３】
このため、マルチビーム走査光学系を採用する画像記録装置において、色収差を抑制するために、光学レンズの硝材を選択したり、特許文献１〜３に開示されているように、複数のレーザ光源を異なる走査クロックで制御して補正することが提案されている。
【０００４】
前述の特許文献１は、波長の異なる複数のレーザ光を走査対象物に照射して当該走査対象物を走査し、当該走査により読み取られた情報を記録する等の処理を行うための光学走査装置に備えられた光学系の構成に関するものである。特許文献１では、緑、青、赤の半導体レーザの各レーザ光を出射する際の出射時間及び出射タイミングを制御することにより、倍率色収差を補償する。
【０００５】
また、特許文献２は、異なる波長で光ビームを発生する複数のレーザ源を使用するカラープリンタに関するものである。特許文献２では、三つの異なるデータ速度で三つの光ビームを変調することによって、ｆ−θレンズの横方向の色収差を修正する。
【０００６】
また、特許文献３は、画像データに基づいて各々波長の異なる３種類以上の射出光を感光材料上に照射して潜像を形成する画像露光装置に関するものである。特許文献３では、２種類の射出光の色収差の特性が略同一とされた走査レンズによって該２種類の射出光の露光面での走査長が略同一とされ、さらに該２種類の射出光用の走査クロックと該２種類以外の射出光用の走査クロックとの各々の周波数が、該２種類の射出光と該２種類以外の射出光との露光面における走査長が略同一となるように決定される。
【０００７】
【特許文献１】特開平１０−１４９４３０号公報
【特許文献２】特開平１１−７０６９８号公報
【特許文献３】特開平１１−８８６１９号公報
【発明の開示】
【発明が解決しようとする課題】
【０００８】
例えば、印画紙に画像を記録する写真プリントの用途では、その露光ユニットで前述のマルチビーム走査光学系が用いられる。写真プリントでは、印画紙の分光感度を考慮すると、露光光源として、赤色、緑色、青色のレーザ光源を使って露光を行う必要がある。しかし、レーザ光源から射出されるレーザ光は、可視域の幅広い発振波長を持つため、倍率色収差の抑制を数十μｍ程度まで行うのは非常に困難である。
【０００９】
また、レーザ光源によっては、その発振波長のばらつきが大きく、例えば±５〜１０ｎｍ程度のものも存在する。しかし、レーザ光源を選別して使用すると、コストアップにつながる。一方、発振波長のばらつきが大きいレーザ光源を使用した場合、倍率色収差を補正するための光学設計が非常に困難になる、もしくは光学レンズに特殊硝材を用いる必要があるためシステムが高価になるという問題があった。
【００１０】
本発明の目的は、前記従来技術に基づく問題点を解消し、発振波長のばらつきが大きいレーザ光源を使用した場合であっても、光学レンズに関わらず、色収差を抑制することができ、そのためのコストを削減することができる画像記録装置を提供することにある。
【課題を解決するための手段】
【００１１】
上記目的を達成するために、本発明は、画像データに応じて露光を制御する露光制御回路と、前記露光制御回路から出力される変調信号により変調され、複数のレーザ光源から各々出力される発振波長の異なる複数のレーザ光を、光学レンズを通して記録媒体上に結像させ、当該記録媒体上に前記画像データに応じた画像を記録する露光ユニットとを備え、
前記露光制御回路は、前記レーザ光の発振波長の情報に基づいて、前記レーザ光源毎に異なる走査クロックを出力するクロック選択回路と、前記走査クロックに同期して動作し、前記レーザ光源毎に、前記画像データに応じた前記変調信号を出力するレーザ駆動回路とを備え、
前記クロック選択回路は、複数の前記レーザ光源の中の少なくとも１つのレーザ光源について、あらかじめ用意されている、発振周波数の異なる複数の走査クロックの中から、前記レーザ光の発振波長の情報に基づいて１つの走査クロックを選択的に出力することを特徴とする画像記録装置を提供するものである。
【００１２】
ここで、前記露光ユニットは、前記レーザ光の発振波長の情報が記録された情報記録回路を備え、前記露光制御回路は、前記情報記録回路から供給されるレーザ光の発振波長の情報に基づいて前記１つの走査クロックを選択的に出力する、もしくは前記露光ユニットは、前記レーザ光の発振波長を検出する波長検出器を備え、前記露光制御回路は、前記波長検出器から供給されるレーザ光の発振波長の情報に基づいて前記１つの走査クロックを選択的に出力するのが好ましい。
【００１３】
また、複数の前記レーザ光源の中の少なくとも１つのレーザ光源は、４８０ｎｍ以下の発振波長を持つ青色のレーザ光を出力する半導体レーザであるのが好ましい。
【００１４】
また、当該画像記録装置は、前記記録媒体である印画紙上に画像を記録するデジタル写真プリンタであるのが好ましい。
【発明の効果】
【００１５】
本発明によれば、露光ユニットで使用されている光学レンズによる倍率色収差の発生状態に応じて、走査クロックの発振周波数を適宜設定することにより、倍率色収差を抑制することができる。従って、特殊硝材の光学レンズの使用は最小限に抑えられ、しかも使用するレーザ光源を選別する必要もない、すなわちばらつきの大きいレーザ光源であっても使用することができるため、システムのコストを削減することができる。
【発明を実施するための最良の形態】
【００１６】
以下に、添付の図面に示す好適実施形態に基づいて、本発明の画像記録装置を詳細に説明する。
【００１７】
本発明の画像記録装置は、図３に示すように、露光ユニット１０と、露光制御回路６０とを備えている。まず、図１および図２を参照しながら、本発明の画像記録装置で用いられる露光ユニット１０の詳細について説明する。図１は、本発明の画像記録装置の露光ユニットの構成を表す一実施形態の概略図、図２は、図１に示す露光ユニットにおけるｆθレンズ４２より下流側の光学素子の位置関係を表す概略図である。
【００１８】
図１に示す露光ユニット１０は、画像記録（画像データ）に応じて変調された、Ｒ（赤）露光、Ｂ（青）露光、およびＧ（緑）露光に対応する３本の光ビーム（レーザビーム）Ｌ（Ｌｒ，Ｌｂ、およびＬｇ）を主走査方向（図中矢印ｘ方向）に偏向して、所定の記録位置（露光位置）に入射させることにより、主走査方向と略直交する副走査方向（図中矢印ｙ方向）に搬送される感光材料Ｓ（図２参照）を二次元的に走査露光して画像を記録するものである。
【００１９】
このような露光ユニット１０は、一例として、写真フィルムに撮影された画像を光電的に読み取って得られた画像データや、デジタルカメラによって撮影された画像の画像データ等から写真プリントを作成する、デジタル写真システムのプリンタ（焼付装置）に利用される。
【００２０】
図示例において、露光ユニット１０は、一面が開放された筐体であるフレーム１２と、フレーム１２の開放面（上面）を覆うカバー１４（図１中点線で示す）と、フレーム１２内部の所定箇所に各々配置固定された各種の光学素子とによって構成されている。
【００２１】
図示例において、フレーム１２は、マルチビーム走査光学系を構成する各種の光学素子を収容／固定する、マルチビーム走査光学系の光学定盤として作用する筐体である。図示例において、フレーム１２は、一例としてアルミニウム合金製で、その内部は、隔壁２２（２２ａ、２２ｂおよび２２ｃ）によって、光源部１６、光偏向部１８、および出射部２０に略分離されている。
【００２２】
なお、隔壁２２ａには、光ビームＬの光路に相当する部分に切り欠きが形成され、そこに透明な窓部材２８ａが固定されている。同様に、隔壁２２ｃにも、その上部を除いて、光ビームＬの光路に相当する部分に切り欠きが形成され、そこに透明な窓部材２８ｂが固定されている。フレーム１２はカバー１４で覆われ、さらに両者の外壁および隔壁２２近傍に形成された所定個数のネジ孔２６においてネジ留めされることによって固定されている。
【００２３】
図示例のフレーム１２内部の光源部１６には、Ｒ露光を行う光ビームＬｒを出射する光源３０Ｒ、Ｂ露光を行う光ビームＬｂを出射する光源３０Ｂ、およびＧ露光を行う光ビームＬｇを出射する光源３０Ｇと、光ビームＬｂを変調するＡＯＭ（音響光学変調器）３２Ｂおよび光ビームＬｇを変調するＡＯＭ３２Ｇと、各光ビームＬを反射するミラー３４と、光ビームＬｒの光量調整およびビームピント（ビーム径）調整を行う光量／ビームピント調整手段３６Ｒ、光ビームＬｂの光量調整およびビームピント調整を行う光量／ビームピント調整手段３６Ｂ、および光ビームＬｇの光量調整およびビームピント調整を行う光量／ビームピント調整手段３６Ｇとが配置されている。
【００２４】
図示例において、光ビームＬｒの光源３０Ｒおよび光ビームＬｂの光源３０Ｂは、共に、ＬＤ（半導体レーザ）であり、光ビームＬｇの光源３０Ｇは、ＬＤとＳＨＧ素子（波長変換素子）とを組み合わせてＬＤから発せられる光ビームの１／２波長（二次高調波）の光ビームＬｇを発するものである。また、光ビームＬｒは、光源３０Ｒを変調駆動する直接変調によって画像データに応じて変調され、光ビームＬｂおよび光ビームＬｇは、各々、ＡＯＭ３２ＧおよびＡＯＭ３２Ｂにより画像データに応じて変調される。
【００２５】
また、光偏向部１８には、ポリゴンミラー４０と、ｆθレンズ（走査レンズ）４２とが配置されている。
【００２６】
さらに、出射部２０には、シリンドリカルレンズ４６と、シリンドリカルミラー４８と、立ち下げミラー５０とが、図２に示す位置関係で配置されている。光ビームＬは、シリンドリカルミラー４８によって、若干、斜め上方に反射され、次いで、立ち下げミラー５０によって下方に反射される。なお、シリンドリカルレンズ４６とシリンドリカルミラー４８は、ポリゴンミラー４０の面倒れ補正光学系を構成するものである。
【００２７】
また、フレーム１２の出射部２０には、感光材料Ｓへの画像記録開始位置（ＳＯＳ（Start of scan））を決定するために、Ｒ露光に対応する光ビームＬｒを検出する光センサ５４が配置されている。
【００２８】
Ｒ露光に対応する光ビームＬｒは、記録画像（Ｒの画像データ）に応じて変調されて光源３０Ｒから出射され、ミラー３４で反射され、光量／ビームピント調整手段３６Ｒで光量調整およびビームピント調整され、さらに窓部材２８ａを透過してポリゴンミラー４０に入射される。
【００２９】
また、Ｂ露光に対応する光ビームＬｂは、光源３０Ｂから出射され、ＡＯＭ３０Ｂで記録画像（Ｂの画像データ）に応じて変調され、ミラー３４で反射され、光量／ビームピント調整手段３６Ｂで光量調整およびビームピント調整され、さらに窓部材２８ａを透過してポリゴンミラー４０に入射される。同様に、Ｇ露光に対応する光ビームＬｇは、光源３０Ｇから出射され、ＡＯＭ３０Ｇで記録画像（Ｇの画像データ）に応じて変調され、ミラー３４で反射され、光量／ビームピント調整手段３６Ｇで光量調整およびビームピント調整され、さらに窓部材２８ａを透過してポリゴンミラー４０に入射される。
【００３０】
光ビームＬ（Ｌｒ，Ｌｂ，およびＬｇ）は、ポリゴンミラー４０によって主走査方向に偏向され、さらにｆθレンズ４２によって走査速度が均一となるように調整される。ｆθレンズ４２を通過した光ビームＬは、窓部２８ｂを透過し、シリンドリカルレンズ４６を通過し、シリンドリカルミラー４８で反射されて、すなわち光路を調整されて面倒れを補正され、さらに立ち下げミラー５０によって下方に反射され、記録位置（感光材料Ｓ）に入射される。
【００３１】
なお、図示例の露光ユニット１０において、各光源３０Ｒ，３０Ｂ，３０Ｇから出射される３つの光ビームＬは、ポリゴンミラー４０の同一点に入射して偏向され、所定の記録位置に入射されて同一の１本の走査線を画成する。従って、各光ビームＬは、主走査方向には異なり、かつ、副走査方向にはほぼ一致した光路で進行して、記録位置に入射される（非合波のマルチビーム走査光学系）。
【００３２】
画像記録に際しては、光センサ５４により、Ｒ露光に対応する光ビームＬｒが検出され、感光材料Ｓへの画像記録開始位置が決定される。また、感光材料Ｓ（印画紙）は、記録位置において、副走査方向に所定の速度で搬送される。従って、感光材料Ｓは、主走査方向に偏向された光ビームＬによって二次元的に走査露光され、潜像が記録される。潜像が記録された感光材料Ｓは、図示していないプロセサ（現像処理装置）に供給され、発色現像、漂白定着、水洗、乾燥、仕分けなどの各処理が施される。
【００３３】
次に、図３〜図５を参照しながら、本発明の画像記録装置で用いられる露光制御回路６０の概略について説明する。図３は、本発明の画像記録装置の露光ユニットおよび露光制御回路の概略構成を表す一実施形態のブロック図である。また、図４は、記録画像の一例の概略図、図５（ａ）および（ｂ）は、それぞれ図４に示す記録画像を記録する時の走査クロックと記録画素の関係を表す概略図である。
【００３４】
図３に示す露光ユニット１０において、光源５６Ｒ，５６Ｂ，５６Ｇは、図１に示す光源３０Ｒ，３０Ｂ，３０ＧおよびＡＯＭ３２Ｇおよび３２Ｂを概念的に表したものである。すなわち、光源５６Ｒは光源３０Ｒに相当するものである。また、光源５６Ｂは、光源３０ＢおよびＡＯＭ３２Ｂに相当し、光源５６Ｇは、光源３０ＧおよびＡＯＭ３２Ｇに相当するものである。
【００３５】
ここでは、説明を簡単にするために、露光制御回路６０から供給される変調信号ＬＤＲＲ，ＬＤＲＢ，ＬＤＲＧによって、それぞれの光源５６Ｒ，５６Ｂ，５６Ｇから出力されるレーザ光Ｌｒ，Ｌｂ，Ｌｇが変調されるものとして説明する。
【００３６】
本実施形態の場合、光源５６Ｒは、変調信号ＬＤＲＲによって変調された６５５ｎｍ〜６６５ｎｍの発振波長を持つ赤色のレーザ光Ｌｒを出力する。また、光源５６Ｂは、変調信号ＬＤＲＢによって変調された４３５ｎｍ〜４４５ｎｍの発振波長を持つ青色のレーザ光Ｌｂを出力し、光源５６Ｇは、変調信号ＬＤＲＧによって変調された５３２ｎｍの発振波長を持つ緑色のレーザ光Ｌｇを出力する。
【００３７】
また、露光ユニット１０は、レーザ光の発振波長の情報が記録された情報記録回路５８を備えている。情報記録回路５８としては、例えば各種のＲＯＭ（リード・オンリー・メモリ）等を使用することができる。また、発振波長の情報は、例えば画像記録装置において実際に画像の記録を行う時と同じ環境下において、レーザ光の発振波長を実測することで得ることができる。
【００３８】
本実施形態の場合、情報記録回路５８には、光源５６Ｂから出力されるレーザ光Ｌｂの発振波長の情報が記憶されている。なお、情報記録回路５８は、各光源５６Ｒ，５６Ｂ，５６Ｇ毎に持たせる構成としても良い。
【００３９】
一方、図３に示す露光制御回路６０は、画像データに応じて露光を制御するもので、クロック選択回路６２と、レーザ駆動回路６４Ｒ，６４Ｂ，６４Ｇと、フレームメモリ６６とを備えている。
【００４０】
フレームメモリ６６は、露光ユニット１０において記録される画像の画像データを一時的に記憶するバッファである。フレームメモリ６６としては、例えば各種のＲＡＭ（ランダム・アクセス・メモリ）等を使用することができる。
【００４１】
続いて、クロック選択回路６２は、光源５６Ｒ，５６Ｂ，５６Ｇ（すなわち、レーザ駆動回路６４Ｒ，６４Ｂ，６４Ｇ）の動作を制御する走査クロックＣＬＫＲ，ＣＬＫＢ，ＣＬＫＧを出力する。走査クロックＣＬＫＲ，ＣＬＫＢ，ＣＬＫＧの発振周波数は、露光ユニット１０で使用されている光学レンズによる倍率色収差を抑制することができるように、レーザ光Ｌｒ，Ｌｂ，Ｌｇの発振波長に応じて決定される。
【００４２】
本実施形態の場合、レーザ駆動回路６４Ｒ，６４Ｇで使用される走査クロックＣＬＫＲ，ＣＬＫＧは、あらかじめレーザ光Ｌｒ，Ｌｇの発振波長に応じて決定されている発振周波数の走査クロックが使用される。その理由は、レーザ光Ｌｒ，Ｌｇについては、その発振波長がばらついても、現実には、露光ユニット１０で使用されている光学レンズにおける倍率色収差の発生状況がほとんど変化しないからである。
【００４３】
一方、レーザ駆動回路６４Ｂで使用される走査クロックＣＬＫＢの発振周波数は、あらかじめ用意されている、異なる発振周波数を持つ複数の走査クロックＣＬＫＢの中から、情報記録回路５８から供給されるレーザ光Ｌｂの発振波長の情報に基づいて決定される発振周波数の走査クロックＣＬＫＢが選択的に出力される。すなわち、走査クロックＣＬＫＢの発振周波数は、レーザ光源Ｌｂの発振波長に応じて変更される。
【００４４】
本実施形態の場合、レーザ光Ｌｂの発振波長は、２ｎｍ刻みで、４３５〜４３７ｎｍ、４３７〜４３９ｎｍ、４３９〜４４１ｎｍ、４４１〜４４３ｎｍ、４４３〜４４５ｎｍの５つのグループに分割され、それぞれのグループ毎に所定の発振周波数を持つ走査クロックＣＬＫＢ１〜ＣＬＫＢ５が用意される。そして、レーザ光Ｌｂの発振波長の情報に基づいて、走査クロックＣＬＫＢ１〜ＣＬＫＢ５の中から１つの走査クロックが選択的に出力される。
【００４５】
なお、レーザ光Ｌｂの発振波長は、２以上のいくつのグループに分割してもよい。また、走査クロックＣＬＫＢに限定されるわけではなく、その発振波長のばらつきが大きい少なくとも１つのレーザ光の走査クロックについて、あらかじめ用意されている、発振周波数の異なる複数の走査クロックの中から、レーザ光の発振波長の情報に基づいて１つの走査クロックを選択的に出力する構成とすればよい。
【００４６】
続いて、レーザ駆動回路６４Ｒ，６４Ｂ，６４Ｇは、フレームメモリ６６から供給される画像データに応じた変調信号ＬＤＲＲ，ＬＤＤＢ，ＬＤＤＧを出力し、それぞれのレーザ光源５６Ｒ，５６Ｂ，５６Ｇを駆動するものである。レーザ駆動回路６４Ｒ，６４Ｂ，６４Ｇは、それぞれクロック選択回路６２Ｒ，６２Ｂ，６２Ｇから供給される走査クロックＣＬＫＲ，ＣＬＫＢ，ＣＬＫＧに同期して動作する。
【００４７】
画像の記録時には、レーザ駆動回路６４Ｒ，６４Ｂ，６４Ｇは、それぞれクロック選択回路６２から供給される走査クロックＣＬＫＲ，ＣＬＫＢ，ＣＬＫＧに同期して動作し、画像データに応じた変調信号ＬＤＲＲ，ＬＤＲＢ。ＬＤＲＧを出力する。そして、光源５６Ｒ，５６Ｂ，５６Ｇからは、変調信号ＬＤＲＲ，ＬＤＲＢ，ＬＤＲＧにより変調されたレーザ光Ｌｒ，Ｌｂ，Ｌｇが出力される。
【００４８】
ここで、図４に示すように、縦縞模様の画像を記録する場合、図５（ａ）および（ｂ）に示すように、例えば１画素毎に黒、白の画素が記録される。図５（ａ）および（ｂ）は、走査クロックＣＬＫをＴ１およびＴ２（Ｔ１＜Ｔ２）とした場合に、レーザ光Ｌを変調して図４に示す縦縞模様を記録した場合の記録画素の状態を表す。同図に示すように、走査クロックＣＬＫの発振周波数を変えることによって、記録される画素の横方向の大きさ（位置）を調整することができる。
【００４９】
すなわち、露光ユニット１０で使用されている光学レンズの倍率色収差の発生状態に応じて、走査クロックＣＬＫの発振周波数を適宜設定することにより、倍率色収差を抑制することができる。従って、特殊硝材の光学レンズの使用は最小限に抑えることができ、しかも使用するレーザ光源を選別する必要もない、すなわちばらつきの大きいレーザ光源であっても使用することができるため、システムのコストを削減することができる。
【００５０】
また、露光ユニット１０に、レーザ光Ｌｂの発振波長の情報が記録された情報記録回路５８が搭載されているため、例えば故障等によって露光ユニット１０そのものを交換した場合であっても、露光制御回路６０は、交換後の露光ユニット１０に搭載されている情報記録回路５８からレーザ光Ｌｂの発振波長の情報を読み出すことによって、光源５６Ｂに適した走査クロックを自動的に設定することができる。
【００５１】
なお、レーザ光の発振波長の情報が記録された情報記録回路５８は本発明に必須の構成要素ではない。すなわち、情報記録回路５８を搭載せず、外部からクロック選択回路６２に、レーザ光の発振波長の情報を与える構成としてもよい。あるいは、露光ユニット１０に、レーザ光の発振波長の検出器を搭載し、波長検出器で検出されたレーザ光の発振波長の情報をクロック選択回路６２に供給する構成としてもよい。
【００５２】
また、上記実施形態では、レーザ光Ｌｒ，Ｌｂ，Ｌｇの発振波長の一例を挙げて説明したが、これも限定されない。例えば、レーザ光Ｌｂは、４７０ｎｍ〜４８０ｎｍのものを使用する場合もある。また、本発明の画像記録装置としては、例えば印画紙上に画像を記録するデジタル写真プリンタを好適例として挙げることができるが、本発明はこれに限定されず、複数のレーザ光源を用いる各種の画像記録装置に適用可能である。
【００５３】
本発明は、基本的に以上のようなものである。
以上、本発明の画像記録装置について詳細に説明したが、本発明は上記実施形態に限定されず、本発明の主旨を逸脱しない範囲において、種々の改良や変更をしてもよいのはもちろんである。
【図面の簡単な説明】
【００５４】
【図１】本発明の画像記録装置の露光ユニットの構成を表す一実施形態の概略図である。
【図２】図１に示す露光ユニットにおけるｆθレンズ４２より下流側の光学素子の位置関係を表す概略図である。
【図３】本発明の画像記録装置の露光ユニットおよび露光制御回路の概略構成を表す一実施形態のブロック図である。
【図４】記録画像の一例の概略図である。
【図５】（ａ）および（ｂ）は、それぞれ図４に示す記録画像を記録する時の走査クロックと記録画素の関係を表す概略図である。
【符号の説明】
【００５５】
１０  露光ユニット
１２  フレーム
１４  カバー
１６  光源部
１８  光偏向部
２０  出射部
２２  隔壁
２６  ネジ孔
２８ａ，２８ｂ  窓部材
３０Ｒ，３０Ｂ，３０Ｇ，５６Ｒ，５６Ｂ，５６Ｇ  光源
３２Ｂ，３２Ｇ  ＡＯＭ（音響光学変調器）
３４  ミラー
３６Ｒ，３６Ｂ，３６Ｇ  光量／ビームピント調整手段
４０  ポリゴンミラー
４２  ｆθレンズ（走査レンズ）
４６  シリンドリカルレンズ
４８  シリンドリカルミラー
５０  立ち下げミラー
５４  光センサ
５８  情報記録回路
６０  露光制御回路
６２  クロック選択回路
６４Ｒ，６４Ｂ，６４Ｇ  レーザ駆動回路
６６  フレームメモリ
Ｌ  光ビーム
Ｓ  感光材料
【図１】
2006030434.tif 000003
【図２】
2006030434.tif 000004
【図３】
2006030434.tif 000005
【図４】
2006030434.tif 000006
【図５】
2006030434.tif 000007